(57)【特許請求の範囲】
【請求項１】
一方の足場板の桁側端部にこれと直交する他方の足場板の妻側端部が接続された仮設足場のコーナー部においてその出隅部となる前記一方の足場板の妻側端部に設置する出隅用幅木であって、前記一方の足場板の妻側端部上に起立姿勢に載置される幅木本体を有し、この幅木本体の両端部には夫々、前記一方の足場板の桁側端部上に載置固定される桁側幅木の端部、又は前記他方の足場板の桁側端部上に載置固定される桁側幅木の端部を掴持する掴持フックを、水平方向に回転可能に取り付けてなる出隅用幅木において、
前記掴持フックは、基端部が取付軸により幅木本体の端部上面に水平方向回転可能に取り付けられる水平材と、上端部に設けた前記水平材の断面形状に対応する形状の貫通孔に水平材を嵌挿させることにより水平材にスライド可能に取り付けられる垂直材と、垂直材の下端部を水平材と略平行に螺通する締付用螺軸とからなり、水平材及び垂直材を前記桁側幅木の上端部に乗せ掛け、水平材に沿って垂直材をスライドさせて螺軸先端部を桁側幅木の側壁部に当接させた状態で、締付用螺軸を回して締め込むことにより、垂直材の貫通孔が水平材に対し噛み込み力を発生して垂直材をロックし、それによって桁側幅木の端部を掴持するようにした出隅用幅木。
【請求項２】
水平材の先端部には、水平材に嵌挿された垂直材が水平材から抜け出るのを防ぐ抜け止め部を設けている請求項１に記載の出隅用幅木。
【請求項３】
垂直材の下部側は、桁側幅木に近づくように上部側に対し傾斜している請求項１又は２に記載の出隅用幅木。
【請求項４】
締付用螺軸の先端部には、桁側幅木の側壁部に当接する皿形の当て金を回転可能に取り付けてなる請求項１〜３の何れかに記載の出隅用幅木。
【請求項５】
一方の足場板の桁側端部にこれと直交する他方の足場板の妻側端部が接続された仮設足場のコーナー部においてその出隅部となる前記一方の足場板の妻側端部に設置する出隅用幅木であって、前記一方の足場板の妻側端部上に起立姿勢に載置される幅木本体を有し、この幅木本体の両端部には夫々、前記一方の足場板の桁側端部上に載置固定される桁側幅木の端部、又は前記他方の足場板の桁側端部上に載置固定される桁側幅木の端部を掴持する掴持フックを、水平方向に回転可能に取り付けてなる出隅用幅木において、
前記掴持フックは、水平部の先端から垂直部が下向きに突設され更に垂直部の先端から突端部が水平部と平行に内向きに突設されたフック本体と、幅木本体の端部上面に水平方向回転可能に取り付けられていて、フック本体の水平部をスライド可能に支持するフック支持部材と、フック本体とフック支持部材との間に介装されていて、フック本体をその突端部が常時突出方向に引っ張られるように付勢するバネとからなるもので、フック本体を前記桁側幅木の上端部に係嵌させ、前記バネの付勢力で桁側幅木の端部を掴持するようにした出隅用幅木。
【発明の詳細な説明】
【技術分野】
【０００１】
本発明は、一方の足場板の桁側端部にこれと直交する他方の足場板の妻側端部が接続された仮設足場のコーナー部においてその出隅部となる前記一方の足場板の妻側端部に設置する出隅用幅木に関する。
【背景技術】
【０００２】
仮設足場での作業においては、作業者の手にしたボルト・ナット、金具等の種々の作業用部品や工具類、足元に置いた各種資材や用具類等を誤って落下させ、事故につながるという危険性が常に付きまとう。そこで、足場板の桁側端部には桁側幅木を取り付け、また足場板の妻側端部には妻側幅木を取り付けるようになっている。
【０００３】
ところで、桁側幅木としては、従来より足場板の桁側端部に沿って簡単容易に設置できるようにしたものが種々提供されているが、特に、一方の足場板の桁側端部にこれと直交する他方の足場板の妻側端部が接続された仮設足場のコーナー部において、その出隅部となる足場板の妻側端部に出隅用幅木を設置するのに、従来では、その出隅用幅木の両端部を、隣接する桁側幅木の端部に夫々ワイヤー等でつなぎ止めることによって固定するようにしているため、その出隅用幅木の設置作業に手間がかかる上に、その取外し作業も非常に面倒であった。
【発明の概要】
【発明が解決しようとする課題】
【０００４】
本発明は、上記の事情に鑑み、仮設足場のコーナー部においてその出隅部となる足場板の妻側端部に簡単容易に設置できるようにした出隅用幅木を提供することを目的としている。
【課題を解決するための手段】
【０００５】
上記課題を解決するための手段を、後述する実施形態の参照符号を付して説明すると、請求項１に係る発明は、一方の足場板Ｐａの桁側端部にこれと直交する他方の足場板Ｐｂの妻側端部が接続された仮設足場のコーナー部においてその出隅部となる前記一方の足場板Ｐａの妻側端部に設置する出隅用幅木１であって、前記一方の足場板Ｐａの妻側端部上に起立姿勢に載置される幅木本体３を有し、この幅木本体３の両端部には夫々、前記一方の足場板Ｐａの桁側端部上に載置固定される桁側幅木２の端部、又は前記他方の足場板Ｐｂの桁側端部上に載置固定される桁側幅木２の端部を掴持する掴持フック４を、水平方向に回転可能に取り付けてなる出隅用幅木において、
前記掴持フック４は、図８に示すように、基端部が取付軸取付軸５により幅木本体３の端部上面に水平方向回転可能に取り付けられる水平材１１と、上端部に設けた前記水平材１１の断面形状に対応する形状の貫通孔１３に水平材１１を嵌挿させることにより水平材１１にスライド可能に取り付けられる垂直材１２と、垂直材１２の下端部を水平材１１と略平行に螺通する締付用螺軸７とからなり、水平材１１及び垂直材１２を前記桁側幅木２の上端部に乗せ掛け、水平材１１に沿って垂直材１２をスライドさせて螺軸７先端部を桁側幅木２の側壁部に当接させた状態で、締付用螺軸７を締め込むことにより、垂直材１２の貫通孔１３が水平材１１に対し噛み込み力を発生させて垂直材１２をロックし、それによって桁側幅木２の端部を掴持するようにしたことを特徴とする。
【０００８】
請求項２は、請求項１に記載の出隅用幅木において、水平材１１の先端部には、水平材１１に嵌挿された垂直材１２が水平材１１から抜け出るのを防ぐ抜け止め部１５を設けていることを特徴とする。
【０００９】
請求項３は、請求項１又は２に記載の出隅用幅木において、垂直材１２の下部側は、図８に示すように、桁側幅木２に近づくように上部側に対し傾斜していることを特徴とする。
【００１０】
請求項４は、請求項１〜３の何れかに記載の出隅用幅木において、前記締付用螺軸７の先端部には、図８に示すように桁側幅木２の側壁部に当接する皿形の当て金２４を回転可能に取り付けてなることを特徴とする。
【００１２】
請求項５は、一方の足場板Ｐａの桁側端部にこれと直交する他方の足場板Ｐｂの妻側端部が接続された仮設足場のコーナー部においてその出隅部となる前記一方の足場板Ｐａの妻側端部に設置する出隅用幅木１であって、前記一方の足場板Ｐａの妻側端部上に起立姿勢に載置される幅木本体３を有し、この幅木本体３の両端部には夫々、前記一方の足場板Ｐａの桁側端部上に載置固定される桁側幅木２の端部、又は前記他方の足場板Ｐｂの桁側端部上に載置固定される桁側幅木２の端部を掴持する掴持フック４を、水平方向に回転可能に取り付けてなる出隅用幅木において、前記掴持フック４は、図７の(c) に示すように、水平部３６ａの先端から垂直部３６ｂが下向きに突設され更に垂直部３６ｂの先端から突端部３６ｃが水平部３６ａと平行に内向きに突設されたフック本体３６と、幅木本体３の端部上面に水平方向回転可能に取り付けられていて、フック本体６の水平部３６ａをスライド可能に支持するフック支持部材３７と、フック本体３６とフック支持部材３７との間に介装されていて、フック本体６をその突端部３６ｃが常時突出方向に引っ張られるように付勢するコイルバネ３８とからなるもので、フック本体３６を前記桁側幅木２の上端部に係嵌させ、前記バネ３８の付勢力で桁側幅木２の端部を掴持するようにしたことを特徴とする。
【発明の効果】
【００１３】
上記解決手段による発明の効果を、後述する実施形態の参照符号を付して説明すると、請求項１に係る発明の出隅用幅木によれば、出隅部となる一方の足場板Ｐａの妻側端部上に起立姿勢に載置される幅木本体３の両端部に、前記一方の足場板Ｐａの桁側端部上に載置固定される桁側幅木２の端部、又は他方の足場板Ｐｂの桁側端部上に載置固定される桁側幅木２の端部をフック先端側で掴持する掴持フック４を、水平方向に回転可能に取り付けたものであるから、幅木本体３の何れか一端部側の掴持フック４を幅木本体３の長手方向と直交するように回転させた状態で、一方の足場板Ｐａの桁側端部上に出隅用幅木１と平行に設置された桁側幅木２の上端部を掴持し、また幅木本体３の他端部側の掴持フック４は、幅木本体３の長手方向に延ばし、他方の足場板Ｐｂの桁側端部上に出隅用幅木１と直交するように設置された桁側幅木２の端部を掴持することにより、幅木本体３を、出隅部となる一方の足場板Ｐａの妻側端部上に起立姿勢に簡単容易に固定することができる。そして、この発明の出隅用幅木によれば、幅木本体３の両端部に夫々掴持フック４を水平方向に回転可能に取り付けているから、足場の設置状況によって出隅部における幅木本体３の左右及び内外の位置関係が逆になっても、幅木本体３の両端部に夫々設けてある掴持フック４を水平回りに適宜回転させることによって容易に対応可能となる。また、掴持フック４は、運送時や保管時には幅木本体３と平行状態にすれば、最小厚さで積層することができる。
【００１５】
又、本発明によれば、掴持フック４の水平材１１及び垂直材１２を桁側幅木２の幅木本体１７の上端部に載せ掛け、そして垂直材１２を水平材１１に沿って桁側幅木２に近づく方向にスライドさせて、螺軸７の先端部を桁側幅木２の側壁部に当接させた状態で、締付用螺軸７を締め込んでゆくと、垂直材１２の貫通孔１３がその両端側で水平材１１に対し噛み込み力Ｆを発生して、垂直材１２が水平材１１に対しロックされ、それにより掴持フック４が桁側幅木２を出隅用幅木１側に引き付けて掴持する。特に垂直材１２の貫通孔１３が水平材１１に対し夫々噛み込み力Ｆを発生するから、締付用螺軸７を軽く締め込むだけで、垂直材１２が水平材１１に対しロックされて、掴持フック４が桁側幅木２を強固に掴持することができる。
【００１６】
請求項２に係る発明によれば、水平材１１先端部に抜け止め部１５を設けているから、平材１１に嵌挿された垂直材１２が水平材１１から抜け出るのを防止できる。
【００１７】
請求項３に係る発明によれば、垂直材１２の下部側が桁側幅木２に近づくように上部側に対し傾斜しているから、垂直材１２の全体が真っ直ぐに形成されている場合に比べて、締付用螺軸７の締め付けによって垂直材１２の水平材１１への前記噛み込みを良好にすると共に、締付用螺軸７が螺合する垂直材１２の下部１２ｂ側が垂直方向に若干量変位するため締付用螺軸７の締め付け操作が容易になる利点がある。
【００１８】
請求項４に係る発明によれば、締付用螺軸７をねじ込み方向に回転させて、その先端部を桁側幅木２の幅木本体１７側壁部に押し付ける時に、螺軸７が回転しても、皿形の当て金２４が幅木本体１７の側壁部に押し付けられたままで回転しないため、幅木本体１７が不都合に変形したり傷を付けられることがない上に、皿形当て金２４の摩擦力によって螺軸７を安定良く固定させることができる。
【００２０】
請求項５に係る発明によれば、掴持フック４が、フック本体３６と、フック支持部材３７と、フック本体３６とフック支持部材３７との間に介装されたコイルバネ３８とからなるもので、フック本体３６を桁側幅木２の上端部に係嵌させ、コイルバネ３８の付勢力で桁側幅木２を幅木本体３側に引き付けることによって桁側幅木２を掴持するようにしたもので、掴持フック４の構造が簡単であるから、製作コストが安くすることができる。
【図面の簡単な説明】
【００２１】
【図１】本発明に係る出隅用幅木の実施形態を示す平面図である。
【図２】(a) は本発明に係る出隅用幅木をその外面側から見た正面図、(b) は平面図である。
【図３】(a) は図１の矢印Ａで示す出隅用幅木取付部分の斜視図、(b) は同図の矢印Ｂで示す出隅用幅木取付部分の斜視図である。
【図４】(a) は図１の矢印Ａで示す出隅用幅木取付部分の正面図、(b) はその平面図である。
【図５】(a) は図１の矢印Ｂで示す出隅用幅木取付部分の正面図、(b) はその平面図である。
【図６】(a) は桁側幅木の一部を示す正面図、(b) はその平面図である。
【図７】(a) 〜(c) は掴持フックの他の種々の実施形態を示す側面図である。
【図８】(a) は掴持フックの他の実施形態を示す斜視図、(b) は同掴持フックの正面図である。
【図９】図８に示す掴持フックの使用状態を説明する説明図である。
【図１０】図８に示す掴持フックの作用を説明する説明図である。
【発明を実施するための形態】
【００２２】
以下に本発明の好適な一実施形態を図面に基づいて説明すると、図１〜図５において、１は本発明に係る出隅用幅木を示す。この出隅用幅木１は、図１に示から分かるように、一方の足場板Ｐａの桁側端部にこれと直交する他方の足場板Ｐｂの妻側端部が接続された仮設足場のコーナー部において、その出隅部となる一方の足場板Ｐａの妻側端部に設置するための幅木である。また図１において、２は足場板Ｐａ，Ｐｂの桁側端部上に設置された従来タイプの桁側幅木で、詳細は図６に示す。
【００２３】
出隅用幅木１は、図１〜図５に示すように、一方の足場板Ｐａの妻側端部上に起立姿勢に載置される幅木本体３を有し、この幅木本体３の両端部には夫々、一方の足場板Ｐａの桁側端部上に載置固定される桁側幅木２の端部、又は他方の足場板Ｐｂの桁側端部上に載置固定される桁側幅木２の端部を掴持する掴持フック４を、水平方向に回転可能に取り付けてなるものである。
【００２４】
出隅用幅木１の幅木本体３は、図２〜図５に示すように、金属板材により、側壁部３ａと、上壁部３ｂと、下壁部３ｃと、上下壁部３ｂ，３ｃから夫々内向きに突出するフランジ３ｄとからなる断面略コ字状に形成されたもので、この幅木本体３の両端部には、図４及び図５から分かるように補強枠２１がリベットＲによって取り付けられ、各補強枠２０の高さ方向中間部にはブラケット２２が固着されている。
【００２５】
掴持フック４は、図３〜図５から分かるように、水平板部６ａの先端から垂直板部６ｂが下向きに突設されていて、水平板部６ａの基端部が取付軸５によって幅木本体３の端部上面に水平方向回転可能に取り付けられるＬ形のフック本体６と、垂直板部６ｂに設けてある軸挿通孔９に取り付けられたナット８を螺通して水平板部６ａと平行に延びる締付用螺軸７とからなるもので、フック本体６を、図３の(a) ，(b) 及び図５の(a) ，(b) に示すように桁側幅木２の上端部に乗せ掛けて、締付用螺軸７を締付方向に回すことにより、螺軸先端部を桁側幅木２の幅木本体１７の側壁部外面に押し付けて、幅木本体３の端部を桁側幅木２側に引き付け、それにより桁側幅木２の端部を掴持して幅木本体３を桁側幅木２に固定するようにしている。
【００２６】
取付軸５は、図５の(a) ，(b) に示すようにボルトからなるもので、掴持フック４の水平板部６ａの基端部に設けたボルト挿通孔６ａｏから、幅木本体３の上壁部３ｂに設けたボルト挿通孔（図示せず）を通って、前記ブラケット２２の上板２２ａ及び下板２２ｂに設けたボルト挿通孔（図示せず）に通し入れ、下端部に螺合したナット２３を適宜締め付けることによって、この取付軸５を中心にフック本体６を水平方向に回転可能な状態に取り付けている。
【００２７】
締付用螺軸７は、図５の(a) に示すように、基端部側のネジ部７ａと、先端部側のネジ部７ｂと、両ネジ部７ａ，７ｂ間に形成された径小軸部７ｃとからなるもので、基端部には回転操作用の蝶形把手２７が設けられている。この締付用螺軸７は、軸全長にわたってネジ部としてもよいが、そうすると、螺軸７の交換が必要となった時に、フック本体６からの螺軸７の取外し及び取付けに手間がかかり、交換作業に困難を来たすことになる。
【００２８】
そこで、螺軸７のネジ部は、フック本体６側のナット８に螺合する基端部側のみでも十分であるが、このように基端部側のネジ部７ａみとした場合には、螺軸７を緩めてナット２３から外した時に、螺軸７全体がナット８から抜けて脱落するため、その脱落を防止するには、螺軸７の先端部にナット２３に螺合するネジ部７ｂを設けることが必要となる。従って、この実施形態のように、螺軸７を、基端部側ネジ部７ａと、先端部側ネジ部７ｂと、両ネジ部７ａ，７ｂ間の非ネジ部である径小軸部７ｃとからなるものとした場合は、径小軸部７ｃの部分は、螺軸７を回転させることなく、スライドさせればよいから、螺軸７の交換作業が容易になり、先端部側ネジ部７ｂによって螺軸７の脱落を防止することができる。
【００２９】
一方、足場板Ｐａ，Ｐｂの桁側端部上に設置される桁側幅木２は、例えば図６の(a) 及び(b) に示すように、出隅用幅木１の幅木本体３と同様な断面略コ字状の幅木本体１７を有し、この幅木本体１７の前後両端部にコ字形金具１８が取り付けられている。そして、この桁側幅木２は、桁側幅木固定ロッド１９を、幅木本体１７の上下両端面を貫通するように設けられた貫通孔２０に貫通して、足場板Ｐの上面の桁側端部所定位置に設けられたロッド挿入孔２３に挿入することにより、足場板Ｐａ，Ｐｂの桁側端部上に起立姿勢に固定されるようになっている。
【００３０】
次に、上記のように構成される出隅用幅木１の取付方法につき説明すると、図１には、図面の上側と下側とに仮設足場のコーナー部が示されており、この図１の下側に示されるコーナー部の出隅部となる足場板Ｐａの妻側端部に出隅用幅木１を取り付けるには、足場板Ｐａの妻側端部上に妻側幅木１の幅木本体３を起立姿勢に載置しながら、図３の(a) 及び図４の(a) ，(b) に示すように、幅木本体３の一端部側にある掴持フック４のフック本体６を、取付軸５を中心に幅木本体３の長手方向と直交するように回転させた状態で、足場板Ｐａ上に出隅用幅木１と平行に設置されている桁側幅木２の上端部に乗せ掛け、その位置で締付用螺軸７をねじ込み方向に回転させて、螺軸７の先端部７ｂを、桁側幅木２の側壁部外面に押し付けることによって、一端部側の掴持フック４で桁側幅木２を掴持し、また幅木本体３の他端部側の掴持フック４のフック本体６は、図３の(b) 及び図５の(a) ，(b) に示すように幅木本体３の長手方向に延ばした状態にして、出隅用幅木１と直交するように足場板Ｐｂの桁側端部に上に載置固定されている桁側幅木２の端部に乗せ掛け、その位置で締付用螺軸７を回転させて、その先端部７ｂを桁側幅木２の側壁部に押し付けることにより、他端部側の掴持フック４で桁側幅木２を掴持し、これによって出隅用幅木１の幅木本体３を足場板Ｐａの妻側端部に固定する。
【００３１】
また、図１の上側に示されるコーナー部の出隅部となる足場板Ｐａの妻側端部に出隅用幅木１を取り付ける時は、コーナー部の出隅部における幅木本体３の左右及び内外の位置関係が図１の下側の場合とは異なるが、幅木本体３の両端部には夫々同じ構造の掴持フック４が設けてあって、各フック本体６が水平方向に回転可能であるから、上述した方法と同様に、幅木本体３の何れか一端部側にある掴持フック４のフック本体６を幅木本体３の長手方向と直交するに回転させた状態で、足場板Ｐａの桁側端部上に載設固定された桁側幅木２の上端部に乗せ掛け、締付用螺軸７をねじ込み方向に回転させて、その先端部を桁側幅木２の側壁部に押し付けることにより、一端部側の掴持フック４で桁側幅木２を掴持し、また幅木本体３の他端部側の掴持フック４のフック本体６は、木本体３の長手方向に延ばして、出隅用幅木１と直交するように足場板Ｐｂの桁側端部上に載置固定された桁側幅木２の端部に乗せ掛け、締付用螺軸７を回転させて、その先端部桁側幅木２の側壁部に押し付けることにより、他端部側の掴持フック４で桁側幅木２を掴持すればよい。即ち、この出隅用幅木１によれば、幅木本体３の両端部に夫々掴持フック４を水平方向に回転可能に取り付けているから、足場の設置状況によって出隅部における幅木本体３の左右及び内外の位置関係が逆になっても、幅木本体３の両端部に夫々設けてある掴持フック４を水平回りに適宜回転させることによって容易に対応可能となる。そして、この掴持フック４は、出隅用幅木１の運送時や保管時には幅木本体３と平行状態にしておくことによって、最小厚さで積層することができる。
【００３２】
図７(a) 〜 (c)は掴持フック４の他の種々の実施形態を示すもので、(a) に示す掴持フック４は、締付用螺軸７の先端部に、桁側幅木２の外側面に当接する皿形（円錐台形）の当て金２４を回転可能に取り付けた点が図４及び図５に示す掴持フック４と異なる。この実施形態によれば、締付用螺軸７をねじ込み方向に回転させて、その先端部を桁側幅木２の幅木本体１７の側壁部外面に押し付ける時に、螺軸７が回転しても、皿形の当て金２４は幅木本体１７の側壁部外面に押し付けられたままで回転しないため、幅木本体１７が不都合に変形したり傷を付けられることがない上に、螺軸７の先端部を皿形当て金２４によって安定良く固定させることができる。
【００３３】
図７の(b) に示す掴持フック４は、水平板部２６ａの先端から圧接用板部２６ｂが下向きで斜め内向きに突設されていて、水平板部２６ａの基端部が取付軸５により幅木本体３の端部上面に水平方向回転可能に取り付けられるＬ形の板バネフック本体２６からなるもので、板バネフック本体２６を前記桁側幅木２の上端部に係嵌させて、この板バネフック本体２６のバネ付勢力で桁側幅木２の上端部を幅木本体３側に引き付けることにより桁側幅木２を掴持するようにしたものである。この実施形態の掴持フック４によれば、掴持フック４の構造が簡単で部品点数が少なく、製作コストが安くつく利点がある。
【００３４】
図７の(c) に示す掴持フック４は、水平部３６ａの先端から垂直部３６ｂが下向きに突設され更に垂直部３６ｂの先端から突端部３６ｃが水平部３６ａと平行に内向きに突設されたフック本体３６と、幅木本体３の端部上面に水平方向回転可能に取り付けられていて、フック本体３６の水平部３６ａをスライド可能に支持するフック支持部材３７と、フック本体３６とフック支持部材３７との間に介装されていて、フック本体３６をその突端部３６ｃが常時突出方向に引っ張られるように付勢するコイルバネ３８とからなるもので、フック本体３６を前記桁側幅木２の上端部に係嵌させ、コイルバネ３８の付勢力で桁側幅木２を幅木本体３側に引き付けることによって桁側幅木２を掴持するようにしたものである。この実施形態の掴持フック４によれば、掴持フック４の構造が簡単であるから、製作コストが安くつく利点がある。
【００３５】
図８の(a) は掴持フック４の更に他の実施形態を示す斜視図であり、(b) はその正面図である。この掴持フック４は、基端部が取付軸５により幅木本体３の端部上面に水平方向回転可能に取り付けられる断面矩形状の水平材１１と、上端部に設けた前記水平材１１の断面形状に対応する形状の角孔（貫通孔）１３に水平材１１を嵌挿させることによって水平材１１にスライド可能に取り付けられる垂直材１２と、この垂直材１２の下端部に設けたネジ孔１４に螺通された締付用螺軸７とからなるもので、水平材１１及び垂直材１２を前記桁側幅木２の上端部に乗せ掛け、水平材１１に沿って垂直材１２を適宜にスライドさせて螺軸７先端部を桁側幅木２の側壁部に当接させた状態で、締付用螺軸７を回して締め込むことにより、垂直材１２の角孔（貫通孔）１３が水平材１１に対し噛み込み力を発生させて垂直材１２をロックし、それによって桁側幅木２の端部を掴持するようになっている。図８の(b) は、垂直材１２が水平材１１に対しロック解除されている状態を示す。
【００３６】
水平材１１の先端部には、この水平材１１に嵌挿された垂直材１２が水平材１１から抜け出るのを防ぐための抜け止め部１５が設けれている。この抜け止め部１５はリベットやプレス加工による切起し等の突起物からなる。
【００３７】
また、垂直材１２の下部１２ｂ側は、桁側幅木２に近づくように、上部１２ａ側に対しα°、例えば１１°傾斜している。また、締付用螺軸７の先端部には、図７の(a) に示す掴持フック４と同様に、桁側幅木２の幅木本体１７の側壁部外面に当接する皿形の当て金２４が回転可能に取り付けられている。
【００３８】
図９の(a) 〜(c) は上記構成の掴持フック４の使用状態を示すもので、先ず(a) に示すように、掴持フック４の水平材１１及び垂直材１２を桁側幅木２の幅木本体１７の上端部に載せ掛け、そうして(b) に示すように垂直材１２を水平材１１に沿って桁側幅木２に近づく方向に適宜にスライドさせて、螺軸７の先端部の当て金２４を幅木本体１７の側壁部外面に当接させ、この状態から(c) に示すように蝶形把手２７を回転操作して締付用螺軸７を締め込んでゆくと、図１０に示すように、垂直材１２の角孔（貫通孔）１３がその両端側で水平材１１に対し噛み込み力Ｆを発生して、垂直材１２が水平材１１に対しロックされ、それによって掴持フック４が桁側幅木２を出隅用幅木１側に引き付けた状態に掴持する。
【００３９】
この場合、図１０から分かるように、垂直材１２の上端部に設けてある角孔（貫通孔）１３とこれに嵌挿される水平材１１との間には僅かな隙間があるため、締付用螺軸７を締め込んでゆくと、垂直材１２は、上端部の角孔１３を中心に桁側幅木２の幅木本体１７から離れるように傾動し、従って角孔１３の上壁面１３ａと水平材１１の上側面との隙間では、上壁面１３ａの前端縁（取付軸５に近い方の端縁）が水平材１１の上側面に噛み込んで、後端縁が水平材１１の上側面から持ち上がる（持ち上がり角度βは例えば３．７°）と同時に、角孔１３の下壁面１３ｂと水平材１１の下側面との隙間では、下壁面１３ｂの後端縁（取付軸５から遠い方の端縁）が水平材１１の上側面に噛み込んで、前端縁が水平材１１の上側面から角孔１３の上壁面１３ａの後端縁と同じ角度βだけ持ち上がり、しかして角孔１３の上壁面１３ａの前端縁と下壁面１３ｂの後端縁とが水平材１１の上下側面に対し夫々噛み込み力Ｆを発生するから、締付用螺軸７を軽く締め込むだけで、垂直材１２が水平材１１に対しロックされ、掴持フック４が桁側幅木２を確実強固に掴持することができる。尚、この実施形態では、貫通孔１３として角孔を採用しているが、角孔に限るものではなく、水平材１１として、断面円形状のものを使用し、垂直材１２の貫通孔１３を丸孔とすることもできる。但し、この実施形態のように、水平材１１として断面矩形状のものを使用して、貫通孔１３を角孔とした場合は、水平材１１に対する垂直材１２の貫通孔の噛み込み力Ｆを有効に発生させることができる。
【００４０】
また、この場合、垂直材１２の下部１２ｂ側が桁側幅木２に近づくように上部１２ａ側に対し所要角度αだけ傾斜していることから、垂直材１２の全体が真っ直ぐに形成されている場合に比べ、締付用螺軸７の締め付けによって垂直材１２の水平材１１への前記噛み込みを良好にすると共に、締付用螺軸７が螺合する垂直材１２の下部１２ｂ側が垂直方向に若干量変位するため締付用螺軸７の締め付け操作が容易になる利点がある。
【符号の説明】
【００４１】
Ｐａ，Ｐｂ    足場板
１            出隅用幅木
２            桁側幅木
３            出隅用幅木の幅木本体
４            掴持フック
５            取付軸
６            フック本体
７            締付用螺軸
８            ナット
１１          水平材
１２          垂直材
１３          角孔（貫通孔）
１５          抜け止め部
２４          皿形の当て金
２６          板バネフック本体
３６          フック本体
３７          フック支持部材
３８          コイルバネ
【図１】
0005513063.tif 000002
【図２】
0005513063.tif 000003
【図３】
0005513063.tif 000004
【図４】
0005513063.tif 000005
【図５】
0005513063.tif 000006
【図６】
0005513063.tif 000007
【図７】
0005513063.tif 000008
【図８】
0005513063.tif 000009
【図９】
0005513063.tif 000010
【図１０】
0005513063.tif 000011